(57)【要約】【課題】各種収納ケースに保管する物品の性状等に関する情報を簡単な操作で切り換えることのできる表示装置を提供する。【解決手段】表示装置１Ａは、直方体を成す函体３０と、函体３０に収容され、それぞれが八角柱を成す第１表示部１０及び第２表示部２０を備える。第１表示部１０及び第２表示部２０のそれぞれの側面は、衣服の性状等に関する情報を表示するための表示面となっている。函体３０の側面には、第１表示部１０の表示面及び第２表示部２０の表示面を露出する窓部３１が設けられている。第１表示部１０の表示面及び第２表示部２０の表示面のうち所望の表示面を函体３０の窓部３１に露出させる際には、第１表示部１０及び第２表示部２０を手の指で回す。【選択図】図２
2020103781.tif 000002
【特許請求の範囲】
【請求項１】
柱状体を成し、前記柱状体の側面に表示面が設けられた表示部と、
前記表示部を前記柱状体の中心軸に垂直な面内で回動可能に収容すると共に、前記表示部の前記表示面を露出する窓部が設けられた函体と、
を備えた表示装置。
【請求項２】
前記表示部を構成する前記柱状体の底面には、前記表示部の回動を支援する円盤状の回転操作部材が設けられていることを特徴とする請求項１記載の表示装置。
【請求項３】
前記表示部には、前記表示部を構成する前記柱状体の中心軸方向に沿って貫通孔が設けられ、前記貫通孔には、前記表示部を保持する支柱が挿通されていることを特徴とする請求項１記載の表示装置。
【請求項４】
前記函体には、前記表示部を構成する前記柱状体の中心軸方向に沿って複数の前記表示部が同軸に収容されていることを特徴とする請求項１記載の表示装置。
【請求項５】
前記表示部には、前記表示部の回動を規制するストッパ部材が設けられていることを特徴とする請求項１記載の表示装置。
【請求項６】
前記表示部を構成する前記柱状体は八角柱であり、前記八角柱の８つの側面のそれぞれに前記表示面が設けられており、
前記函体は四角柱であり、前記四角柱の４つの側面のそれぞれに前記窓部が設けられていることを特徴とする請求項１記載の表示装置。
【請求項７】
前記函体には、前記表示部を構成する前記柱状体の底面を被覆するキャップ部材が着脱自在に装着されていることを特徴とする請求項１記載の表示装置。
【請求項８】
前記函体を着脱自在に収容するケース部材をさらに備える請求項１記載の表示装置。
【請求項９】
衣服掛け部とフック部とを備えた衣服用ハンガーであって、
前記フック部に請求項１〜８のいずれか一項に記載の表示装置を装着したことを特徴とする衣服用ハンガー。
【発明の詳細な説明】
【技術分野】
【０００１】
本発明は、各種収納ケースに保管する物品の性状等に関する情報を表示するための表示装置及びそれを備えた衣服用ハンガーに関するものである。
【背景技術】
【０００２】
コートやジャケットなどの衣服を洋服箪笥等に保管（収納）する場合は、衣服を衣服用ハンガーに掛け、この衣服用ハンガーを洋服箪笥等の内部に配置された軸材（パイプ等）に掛ける。こうして洋服箪笥等に保管された衣服は、それらの前後が略接するように収納される。
【０００３】
このような状態で保管された複数の衣服の中から所望の衣服を取り出そうとする場合は、保管された複数の衣服の側部を見ることになるので、それぞれの衣服の性状、例えばシングル・ボタンなのかダブル・ボタンなのかといった形状などを即座に判別できない。
【０００４】
少数の衣服しか保管していない人は、衣服の側部を見ただけで記憶に基づき所望の衣服を即座に取り出せるかもしれないが、保管後しばらくすると記憶が薄れてしまう。また、多数の衣服を保管している人は、記憶に基づき所望の衣服を洋服箪笥などから取り出すことが難しい。
そこで、特許文献１のように、洋服箪笥等に保管された多くの衣服の性状に関する情報を表示する衣服用表示装置が提案された。
【０００５】
特許文献１に記載された衣服用表示装置は、柱状体を成し、その軸方向に形成されて衣服用ハンガーのフック部を貫通させる表示部貫通孔及び柱状体の外周面に形成された表示面をそれぞれ有する２つの表示部と、本体基部と、本体基部に設けられた基部貫通孔と、本体基部に設けられ表示部の外周面の少なくとも一部を覆って、または表示部を本体基部に保持する保持部と、保持部により保持された表示部の表示面に位置付けられる表示開口部を有する表示装置本体部とを備えている。
【先行技術文献】
【特許文献】
【０００６】
【特許文献１】特開２０１７−１４０３１４号公報
【発明の概要】
【発明が解決しようとする課題】
【０００７】
しかしながら、特許文献１に記載された衣服用表示装置は、２つの表示部が函体内に固定される構造であることから、表示を切り換える際には、２つの表示部を一旦函体から取り出して表示を切り換えた後、２つの表示部をもう一度函体に挿入しなければならないという煩わしさがあった。
【０００８】
本発明は、上述した従来技術の課題を解決するためになされたものであって、その目的は、各種収納ケースに保管する物品の性状等に関する情報を簡単な操作で切り換えることのできる表示装置を提供することにある。
【課題を解決するための手段】
【０００９】
本発明の一態様に係る表示装置は、柱状体を成し、上記柱状体の側面に表示面が設けられた表示部と、上記表示部を前記柱状体の中心軸に垂直な面内で回動可能に収容すると共に、上記表示部の上記表示面を露出する窓部が設けられた函体とを備えている。
上記表示部を構成する前記柱状体の底面には、表示部の回動を支援する円盤状の回転操作部材が設けられていてもよい。
【００１０】
上記表示部には、上記表示部を構成する上記柱状体の中心軸方向に沿って貫通孔が設けられ、上記貫通孔には、上記表示部を保持する支柱が挿通されていてもよい。
上記函体には、上記表示部を構成する上記柱状体の中心軸方向に沿って複数の上記表示部が同軸に収容されていてもよい。
上記表示部には、上記表示部の回動を規制するストッパ部材が設けられていてもよい。
【００１１】
上記表示部を構成する上記柱状体は八角柱であり、上記八角柱の８つの側面のそれぞれに上記表示面が設けられており、上記函体は四角柱であり、上記四角柱の４つの側面のそれぞれに上記窓部が設けられていてもよい。
上記函体には、上記表示部を構成する上記柱状体の底面を被覆するキャップ部材が着脱自在に装着されていてもよい。
上記函体を着脱自在に収容するケース部材をさらに備えていてもよい。
【発明の効果】
【００１２】
本発明によれば、各種収納ケースに保管する物品の性状等に関する情報を簡単な操作で切り換えることのできる表示装置を実現することができる。
【図面の簡単な説明】
【００１３】
【図１】本発明の実施の形態１に係る表示装置の斜視図である。
【図２】図１に示す表示装置の分解斜視図である。
【図３】図１に示す表示装置の第１表示部の表示面に表示された図形を模式的に示す図である。
【図４】図１に示す表示装置の第２表示部の表示面に表示された図形を模式的に示す図である。
【図５】図１に示す表示装置の第１表示部及び第２表示部に設けられたストッパ部材を示す斜視図である。
【図６】図１に示す表示装置の別例を示す正面図である。
【図７】図１に示す表示装置を備えた衣服用ハンガーの正面図である。
【図８】本発明の実施の形態２に係る表示装置の正面図である。
【図９】本発明の実施の形態１に係る表示装置の別例を示す正面図である。
【図１０】図９に示す表示装置の函体の窓部に表示された図形を模式的に示す図である。
【図１１】図９に示す表示装置の第１表示部及び第２表示部に表示された図形を模式的に示す図である。
【図１２】図９に示す表示装置によって表示された情報の一例を示す図である。
【図１３】図９に示す表示装置によって表示された情報の別例を示す図である。
【発明を実施するための形態】
【００１４】
以下、図面を参照しながら、本発明に係る表示装置について説明する。
（実施の形態１）
図１は、本発明の実施の形態に係る表示装置の斜視図であり、図２は、図１に示す表示装置の分解斜視図である。
本実施の形態に係る表示装置１Ａは、函体３０と、この函体３０に収容される第１表示部１０及び第２表示部２０を備える。
【００１５】
それぞれが八角柱を成す第１表示部１０及び第２表示部２０は、八角柱の中心軸方向に沿って同軸に配置され、この中心軸に垂直な面内で回動可能な状態で函体３０に収容されている。第１表示部１０及び第２表示部２０は同一の径を有しているが、高さ（八角柱の中心軸方向に沿った辺の長さ）は、同一であっても異なっていてもよい。
【００１６】
第１表示部１０及び第２表示部２０には、八角柱の中心軸方向に沿って同一径の貫通孔１１、２１が設けられており、貫通孔１１、２１の内部には、丸パイプ状の支柱４０が挿通されている。貫通孔１１、２１及び支柱４０は必須のものではないが、これらを備えることにより、第１表示部１０及び第２表示部２０を函体３０の内部に確実に位置決め、保持することができる。
【００１７】
第１表示部１０を構成する八角柱の上面及び下面の一方（本例では下面）には、第１表示部１０の回動を支援する円盤状の回転操作部材１２が設けられている。回転操作部材１２の径は、第１表示部１０を構成する八角柱の径よりも僅かに大きい。
【００１８】
また、第２表示部２０を構成する八角柱の上面及び下面の他方（本例では上面）には、第２表示部２０の回動を支援する円盤状の回転操作部材２２が設けられている。回転操作部材２２の径は、第２表示部２０を構成する八角柱の径よりも僅かに大きく、第１表示部１０に設けられた回転操作部材１２の径と同一である。
【００１９】
回転操作部材１２、２２は必須のものではないが、これらを設けることにより、第１表示部１０及び第２表示部２０を函体３０の外側から指で容易に回動させることができる。
【００２０】
第１表示部１０を構成する八角柱の８つの側面と、第２表示部２０を構成する八角柱の８つの側面は、衣服の性状等に関する情報を表示するための表示面となっている。
【００２１】
第１表示部の８つの側面（表示面）には、例えば図３に示すようなシャツの襟の形状を模式的に示す図形が表示されている。すなわち、表示面１０１には無地が、表示面１０２には丸首が、表示面１０３にはＶネックが、表示面１０４にはハイネックが、表示面１０５にはスタンダードが、表示面１０６にはノッチドラペルが、表示面１０７にはタキシードカラーが、そして表示面１０８にはフードが、それぞれ模式的に表示されている。
【００２２】
また、第２表示部２０の８つの側面（表示面）には、例えば図４に示すようなシャツの前合わせの形状を模式的に示す図形が表示されている。すなわち、表示面２０１にはプルオーバー（無地）が、表示面２０２には女性用のハーフ・ボタンが、表示面２０３には男性用のハーフ・ボタンが、表示面２０４にはハーフ・ジッパーが、表示面２０５には女性用のシングル・ボタンが、表示面２０６にはシングル・ジッパーが、表示面２０７には女性用のダブル・ボタンが、そして表示面２０８には女性用のシングル・ジッパーが、それぞれ模式的に表示されている。
【００２３】
ここで、表示面２０５の女性用のシングル・ボタンの表示は、左右の重ね合わせを逆にすることで男性用のシングル・ボタンの表示とすることもできる。また、表示面２０７の女性用のダブル・ボタンは、ボタン及び重ね合わせの位置を図４中の左側に変更することで男性用のダブル・ボタンの表示とすることもできる。さらに、表示面２０８の女性用のシングル・ジッパーも同様の表示変更が可能である。
【００２４】
図１及び図２に示すように、第１表示部１０及び第２表示部２０を収容する函体３０は直方体を成しており、函体３０を構成する直方体の４つの側面には、第１表示部１０の表示面（１０１〜１０８）及び第２表示部２０の表示面（２０１〜２０８）を露出する窓部３１が設けられている。
【００２５】
函体３０に設けられた４つの窓部３１のそれぞれの幅は、第１表示部１０及び第２表示部２０のそれぞれの表示面（１０１〜１０８、２０１〜２０８）の幅と略同一である。また、４つの窓部３１のそれぞれの高さは、第１表示部１０の表示面（１０１〜１０８）の高さと第２表示部２０の表示面（２０１〜２０８）の高さを合わせた高さと略同一である。
【００２６】
第１表示部１０に設けられた回転操作部材１２の一部は、函体３０の４つの窓部３１のそれぞれの下端部において函体３０の外部に露出している。また、第２表示部２０に設けられた回転操作部材２２の一部は、函体３０の４つの窓部３１のそれぞれの上端部において函体３０の外部に露出している。
【００２７】
函体３０の上面及び下面には、第１表示部１０の貫通孔１１及び第２表示部２０の貫通孔２１に挿通された支柱４０が函体３０から脱落するのを防止するキャップ部材３１ａ、３１ｂが装着されている。また、キャップ部材３１ａ、３１ｂのそれぞれの中心部には、函体３０の内部に支柱４０を固定するためのボス３２（図２は第１表示部１０側のボス３２のみを図示）が立設されている。
【００２８】
上述した第１表示部１０、第２表示部２０、回転操作部材１２、２２、函体３０及びキャップ部材３１ａ、３１ｂは、例えばプラスチック板、プラスチックと紙を貼り合わせたラミネート板、厚紙などを加工して形成される。
【００２９】
第１表示部１０の表示面（１０１〜１０８）及び第２表示部２０の表示面（２０１〜２０８）のうち所望の表示面を函体３０の窓部３１に露出させる際には、例えば一方の手の指で函体３０を保持し、もう一方の手の指で第１表示部１０の回転操作部材１２及び第２表示部２０の回転操作部材２２をそれぞれ回せばよい。
【００３０】
ここで、図５に示すように、第１表示部１０の側面（表示面と表示面の境界部分）に凸状のストッパ部材１３を設け、第２表示部２０の側面に凸状のストッパ部材２３を設けてもよい。これにより、ストッパ部材１３、２３が函体３０の窓部３１の側面に当接し、第１表示部１０及び第２表示部２０の回動が規制されるので、函体３０の窓部３１に露出させた表示面が表示装置１Ａの振動等によって容易にずれてしまう不具合を防ぐことができる。ストッパ部材１３、２３は、第１表示部１０及び第２表示部２０の側面に代えて函体３０の窓部３１の側面に設けてもよい。
【００３１】
このように、本実施の形態の表示装置１Ａは、第１表示部１０に８つの表示面（１０１〜１０８）を備えており、第２表示部２０にも８つの表示面（２０１〜２０８）を備えているので、衣服の性状に関する情報（本例では、シャツの襟の形状とシャツの前合わせの形状の組み合わせ）を函体３０の所定の窓部３１に８×８＝６４通り表示することができる。
【００３２】
また、本実施の形態の表示装置１Ａは、函体３０に収容された第１表示部１０及び第２表示部２０を回すだけで窓部３１に露出する表示面を切り換えることができるので、表示面を切り換える際に表示部を函体から取り出す必要がある従来技術に比べて操作が極めて簡単である。
【００３３】
通常、洋服ダンス等の収納ケースの抽斗には複数種類の衣服を収納する場合が多いので、本実施の形態の表示装置１Ａを複数個用意し、各抽斗の前面等に表示装置１Ａを一つずつ設置しておけば、各抽斗に収納された衣服が何であるかを外部から容易に知ることができて便利である。
【００３４】
その際、図６に示すように、一面が開口したケース７０を用意し、スライド式または回転式で表示装置１Ａをケース７０に収容したり、ケース７０から取り出したりできるようにすれば、表示装置１Ａの特定の表示面のみを外部から視認できるので、各抽斗に収納された衣服が何であるかを外部から確実に知ることができる。
図７に示す衣服用のハンガー５０は、衣服掛け部５１及びフック部５２を備え、さらにフック部５２に本実施の形態の表示装置１Ａを装着したものである。
【００３５】
表示装置１Ａは、第１表示部１０の貫通孔１１及び第２表示部２０の貫通孔２１にフック部５２を挿通させることにより、衣服用ハンガー５０に対して回動可能に装着されている。この場合、筐体３０の上下面を覆うキャップ部材３１ａ、３１ｂ（図２参照）にも貫通孔を設けるが、キャップ部材３１ａ、３１ｂを省略することもできる。
【００３６】
このように、ハンガー５０に本実施の形態の表示装置１Ａを装着することにより、表示装置１Ａの所定の窓部３１を衣服の側部に位置付けることができ、ハンガー５０に掛けた衣服の直近に当該衣服の性状情報を表示することができる。
【００３７】
ハンガー５０は、衣服掛け部５１とフック部５２とを一体に形成したものであってもよく、フック部５２は、第１表示部１０の貫通孔１１及び第２表示部２０の貫通孔２１に挿通できるものであれば、その形状は任意である。
（実施の形態２）
【００３８】
図８に示す表示装置１Ｂは、筐体３０の４つの窓部３１のそれぞれの周囲に互いに異なる髪形を描き、第１表示部１０の８つの側面（表示面）のそれぞれに互いに異なる形の口を描き、第２表示部２０の８つの側面（表示面）のそれぞれに互いに異なる形の目を描き、これらを組み合わせることによって様々な顔を表示できるようにしたものである。
この表示装置１Ｂを洋服ダンス等の収納ケースの抽斗に設置することにより、家族の誰がどの抽斗を使用しているのか一目で判別することができる。
（実施の形態３）
【００３９】
上記実施の形態１及び実施の形態２では、衣服用表示装置に適用した例について説明したが、これに限定されるものではなく、筐体に収容される表示部に表示する図形を変更することにより、種々の用途に適用することができる。
【００４０】
例えば、図９に示す表示装置１Ｃは、筐体３０を横置きにして４つの窓部３１のそれぞれの周囲に互いに異なる形のソール（靴底）を描き、第１表示部１０の８つの側面（表示面）のそれぞれに互いに異なる形のアッパーの踵部分を描き、第２表示部２０の８つの側面（表示面）のそれぞれに互いに異なる形のアッパーのつま先から甲の部分を描き、これらを組み合わせることによって様々な種類の靴を表示できるようにしたものである。
【００４１】
また、同じ形状であっても色が違う靴もあり得るので、図のように、八角柱の８つの側面（表示面）のそれぞれに互いに異なる色見本を描いた第３表示部６０を追加してもよい。
【００４２】
さらに、図１に示す表示装置１Ａの筐体３０の４つの窓部３１の周囲に図１０に示す４種の線（一つの窓部３１は線無し）を描き、第１表示部１０の８つの側面に図１１（Ｂ）に示す８種の線（番号９〜１６で示す）を描き、第２表示部２０の８つの側面に図１１（Ａ）に示す８種の線（番号１〜８で示す）を描くことにより、図１２に示すようなアルファベットや図１３に示すような数字を表示することができる。
【００４３】
以上、本発明者によってなされた発明をその実施の形態に基づき具体的に説明したが、本発明は前記実施の形態に限定されるものではなく、その要旨を逸脱しない範囲で種々変更可能であることは言うまでもない。
【００４４】
例えば、前記実施の形態では、函体の内部に２つまたは３つの表示部を収容した表示装置について説明したが、函体の内部に収容する表示装置の数は一つあるいは４つ以上であってもよい。
また、前記実施の形態では、函体の全ての側面に窓部を設けた表示装置について説明したが、筐体の特定の側面のみに窓部を設けてもよい。
【００４５】
函体に収容する表示部の形状は八角柱に限定されるものではなく、八角柱以外の多角柱または円柱であってもよい。また、函体の形状は直方体に限定されるものではなく、表示部を回動可能に収容できるものであれば直方体以外の形状であってもよい。
【符号の説明】
【００４６】
１Ａ、１Ｂ、１Ｃ  衣服表示装置
１０  第１表示部
１１  貫通孔、
１２  回転操作部材
１３  ストッパ部材
２０  第２表示部
２１  貫通孔、
２２  回転操作部材
２３  ストッパ部材
３０  函体
３１  窓部
３１ａ、３１ｂ  キャップ部材
３２  ボス
４０  支柱
５０  ハンガー
５１  衣服掛け部
５２  フック部
６０  第３表示部
７０  ケース
１０１〜１０８  第１表示部の表示面
２０１〜２０８  第２表示部の表示面
【図１】
2020103781.tif 000003
【図２】
2020103781.tif 000004
【図３】
2020103781.tif 000005
【図４】
2020103781.tif 000006
【図５】
2020103781.tif 000007
【図６】
2020103781.tif 000008
【図７】
2020103781.tif 000009
【図８】
2020103781.tif 000010
【図９】
2020103781.tif 000011
【図１０】
2020103781.tif 000012
【図１１】
2020103781.tif 000013
【図１２】
2020103781.tif 000014
【図１３】
2020103781.tif 000015